(57)【特許請求の範囲】
【請求項１】
シングルのステム（２）を有する子供用乗り物のモジュールの高さ調節のための停止装置（１）であって、子供用乗り物のモジュールとステム（２）との間に設けられた停止装置（１）において、
ステム（２）を実質的に囲む可動ケーシング（４）と、
ステム（２）に対して締め付けと摩擦を作用するために実質的に偏心回転するハンドル（６）と、
ハンドル（６）とステム（２）との間に設けられた摩擦部材（５）と、
ハンドル（６）と摩擦部材（５）との間に設けられたバネ（８）と、
を具備し、
該ステム（２）には摩擦パターン（７）が設けられて、該摩擦部材（５）が、該ステム（２）の摩擦パターン（７）に対応するパターンを有することを特徴とする停止装置（１）。
【請求項２】
可動ケーシング（４）が該ステム（２）を部分的に囲むことを特徴とする請求項１記載の停止装置（１）。
【請求項３】
可動ケーシング（４）がステム（２）の一方の側に開口していることを特徴とする請求項１記載の停止装置（１）。
【請求項４】
摩擦パターン（７）が溝を含んでいることを特徴とする請求項１記載の停止装置（１）。
【請求項５】
摩擦パターン（７）が刻み目を含んでいることを特徴とする請求項１記載の停止装置（１）。
【請求項６】
停止装置がモジュールの一体的部分であることを特徴とする請求項１記載の停止装置（１）。
【請求項７】
モジュールが停止装置（１）に固着されていることを特徴とする請求項１記載の停止装置（１）。
【請求項８】
モジュールが子供用座席であることを特徴とする請求項１記載の停止装置（１）。
【発明の詳細な説明】
【技術分野】
【０００１】
本発明は、座席、特に子供用座席であって、伸縮自在に（ｔｅｌｅｓｃｏｐｉｃ；入れ子式の）長さ調節可能な足置きが装備されかつ座席が取り付けられたステムに関して高さを調節し得る子供用座席に関する。
【背景技術】
【０００２】
高さ調節可能な座席を有する子供用乗り物が従来技術から知られ、かつ特許文献１に説明され、これにおいては、座席は種々の高さで中央ステムに固定することができる。この方法の高さ調整は、主ステムの周りを掴むクランプ手段又はスナップオン式停止装置、或いは穴／ピンシステムのような公知の方法により達成することができる。これらのシステムに伴う欠点は、これらが使用に対して扱いにくくかつ時間がかかることである。
【０００３】
通常の子供用乗り物では、子供が良い姿勢で座っているか、又は眠っていいるか、或いは中間のどこかの位置にいるかに従って角度を調節し得る足置きが知られる。かかる足置きは、座席の着座部分の端の軸を中心として回転することができる。これらの解決法の欠点は、足置きの長さがこの乗り物が設計された最も大きい子供に適合するようにされることである。このため、この乗り物を小さい子供又は嬰児が使用するときは、足置きは、使用中、足置きの小部分しか使用されない。
【０００４】
更に子供用自転車の座席より調節可能なフットブロック（ｆｏｏｔ  ｂｌｏｃｋ）が知られる。これは、座席の延長部内の種々の高さに固定することができ、これは、車輪のスポークから子供を保護するために自転車のどちら側も下向きに突き出すことが多い。座席は、或る年齢までの子供に適合する寸法のものである。フットブロック又は足置きが小さい子供のために上方の位置で使用されるときは座席の下方部分の大部分が使われず、従って、例えば座席が取り外され貯蔵されるときに空間を占領する。フットブロックには、座席自体の種々の高さで連結装置受け内に適合する連結装置が装備される。一般に、一度に１個のフットブロックを調節しなければならず、かつ自転車の使用者は自転車を駐輪させて両手でこれを行わねばならない。
【特許文献１】ノルウェー特願  第２００１  ５１５９号  明細書
【発明の開示】
【発明が解決しようとする課題】
【０００５】
従って、不必要な空間を占めることなく簡単な方法で長さの調節ができ、かつ必要なときは好ましくは片手で着脱ができる足置きに対する必要性がある。
【０００６】
更に、子供が成長したときだけでなく、使用中に迅速かつ簡単な方法で乗り物の座席の高さを調節する可能性に対する必要性がある。
【課題を解決するための手段】
【０００７】
本発明の目的は、例えば乗り物用の子供用座席であって、簡単な方法で高さの調整が可能であり、座席を使用している子供に適合させるように調節可能であり、更に不必要な空間を占領しない足置きを有する座席を得ることである。
【発明を実施するための最良の形態】
【０００８】
以上の目的は、以下説明されるような停止装置及び座席により達成される。
【０００９】
従って、本発明は、図１に示されるような乗り物用の停止装置及び伸縮自在な足置きを有する座席に関係する。
【００１０】
図１に示された停止装置は、座席３を取り付けるであろうステム２に適合される。停止装置は座席３の一体部品とすることができ、又は座席３又はその他のモジュールのような別の部品に取り付け得る別個の部品とすることができる。
【００１１】
本実施例においては、停止装置１は、図３に示されるようにステムの周りのケーシング４として形成され、かつステム２に沿って上下に滑ることができる。ケーシング４は、ステム２を完全に囲み又は開口した側面、及び恐らくはステム２の長手方向の対応トラック内に掴んでいるレールを持つことができる。
【００１２】
停止装置１の断面の輪郭は、２つの要素の間に土や粒子が詰まることを避けるために、ステム２と本質的に同じ形であることが有利である、
停止装置１には、更に、摩擦部材５及びハンドル６が装備され、ハンドル６は偏心回転しそして摩擦部材５をステム２に対して締め付けて停止手段１とステム２との間に十分な摩擦を発生させるために使用される。この方法で、停止装置１に固定された座席３は、例えば、子供の荷重が加わる場合でもステム上のその位置を保持することができる。ハンドル６を停止させそして意図しない解放に対する抵抗を提供するために、本実施例においては、停止装置１に、ハンドル６と摩擦部材５との間に置かれたバネ８が設けられる。
【００１３】
摩擦部材５に対する摩擦を大きくする溝又は刻み目のような摩擦パターン７が設けられることも有利である。摩擦部材は、摩擦パターンに適合した弾性材料より作ることができる。摩擦部材５は、プラスチックのような硬質材料とすることができ、そしてステム２上の摩擦パターン７と相補的なパターンを持つことができ、これにより停止装置１はハンドル６により確りと締め付けられたとき大きな荷重に耐えられる。
【００１４】
停止装置１は、座席１と一体部品とすることができ、或いは例えば乗り物のステム２又は椅子のステムに固定し得る別のモジュールとすることができる。停止装置は、固定用手段又は結合用手段を持つことができ、これにより、ベビーシート、荷物ホルダーのようなモジュール、又はかかるモジュール用ブラケットをこれに固定することができる。
【００１５】
座席３は種々の高さ位置に調節することができるので、図４に示されるような伸縮自在の足置き２０が座席３に備えられると有利である。足置き２０の長さを座席内に受け入れ得るためには、座席３は、例えば、子供が座席の固定された乗り物又は椅子に一人でよじ登りそして降りることができるように、小さい子供用として地面に向かってすっかり下げて置くことができる。恐らくは、足置き２０は、座席３によじ登ることを助けるための足置きとして使うことができる。図４及び５においては、座席３は、２個のレール２１を備えた足置き２０を有して示され、このレールは、共通の足板に連結されかつ座席３と一体の案内２２内に受け入れられる。この案内は、子供の背の高さに従った正しい位置で足置き２０を固定する例えば摩擦式又は穴とピン式のシステムによる停止具２３を持つ。好ましい実施例においては、停止具２３は、足置き２０を上方に滑らせて調節することだけは許すが足置きが滑り降りることは防止するバネ負荷式摩擦停止装置である。
【００１６】
停止具２３は、ハンドル２４により操作され、座席から外し得る足置き２０を解放することができる。これは、足置きの不必要な嬰児用として座席が使用される場合に好ましく、これにより座席の重量を減らしかつ専用空間を小さくする。図１に示されかつ特許文献１に説明されたように乗り物に座席３を使用することにより、座席を回転させてこれを進行方向又は逆方向のどちらにも位置決めすることができるであろう。足置き２０にレール２１間の開口を設けることにより、座席を進行方向と逆向きに取り付けるとき、レール２
１がステム２のどちら側も通過するように足置きを座席３内に受け入れることができる。足置きは、上述の停止具２３の好ましい実施例を使用して足置き２０を定位置に押すように片手のみを使用することにより取り付けることができる。
【図１】
0005164242.tif 000002
【図２】
0005164242.tif 000003
【図３】
0005164242.tif 000004
【図４】
0005164242.tif 000005
【図５】
0005164242.tif 000006